(57)【要約】【課題】  複数スロットを有するカメラで、記録するスロットと再生するスロットをユーザーが任意に選択できることで、使い勝手を向上させる。【解決手段】  被写体を撮像し画像を得る撮像手段と、複数の記憶媒体にアクセスするアクセス手段と、前記複数の記憶媒体の情報を表示する表示手段と、前記表示手段に表示された、前記複数の記憶媒体から、画像を記録する記録先となる記憶媒体を選択する第１の選択手段と、前記第１の選択手段とは別に、画像の読み出し先となる記憶媒体を選択する第２の選択手段を備えたことを特徴とする。【選択図】  図２
2008113167.tif 000002
【特許請求の範囲】
【請求項１】
被写体を撮像し画像を得る撮像手段と、
複数の記憶媒体にアクセスするアクセス手段と、
前記複数の記憶媒体の情報を表示する表示手段と、
前記表示手段に表示された、前記複数の記憶媒体から、画像を記録する記録先となる記憶媒体を選択する第１の選択手段と、
前記第１の選択手段とは別に、画像の読み出し先となる記憶媒体を選択する第２の選択手段を備えたことを特徴とする撮像装置。
【請求項２】
前記表示手段は、前記複数の記憶媒体に存在するフォルダの情報を表示することを特徴とし、
画像の記録を行うためのフォルダを選択する手段と、
画像を読み出し、再生を行うためのフォルダを選択する手段を夫々備えたことを特徴とする請求項１に記載の撮像装置。
【請求項３】
前記複数の記憶媒体の接続状態を検知する検知手段と、
前記検知の結果、接続状態にない記憶媒体は前記第１及び第２の選択手段による選択ができない旨の表示を行う表示制御手段を備えたことを特徴とする請求項１に記載の撮像装置。
【請求項４】
被写体を撮像し画像を得る撮像工程と、
複数の記憶媒体にアクセスするアクセス工程と、
前記複数の記憶媒体の情報を表示部に表示する表示工程と、
前記表示部に表示された前記複数の記憶媒体から、画像を記録する記録先となる記憶媒体を選択する第１の選択工程と、
前記第１の選択手段とは別に、画像の読み出し先となる記憶媒体を選択する第２の選択工程を備えたことを特徴とする撮像装置の制御方法。
【請求項５】
撮像装置に
被写体を撮像し画像を得る撮像工程と、
複数の記憶媒体にアクセスするアクセス工程と、
前記複数の記憶媒体の情報を表示部に表示する表示工程と、
前記表示部に表示された前記複数の記憶媒体から、画像を記録する記録先となる記憶媒体を選択する第１の選択工程と、
前記第１の選択手段とは別に、画像の読み出し先となる記憶媒体を選択する第２の選択工程と、
を実行させることを特徴とする撮像装置の制御プログラム。
【発明の詳細な説明】
【技術分野】
【０００１】
本発明は、静止画像や動画像を記録・再生する画像処理装置等に関する。
【背景技術】
【０００２】
従来、固体メモリ素子を有するメモリカードを記憶媒体として、ＣＣＤ等の固体撮像素子で撮像した画像を記録及び再生する撮像装置は既に知られている。
【０００３】
この種の撮像装置には、複数の記憶媒体を備えたものもあり、より多くの画像を記録することが可能である（例えば、特許文献１）。
【特許文献１】特開2001-008088号公報
【発明の開示】
【発明が解決しようとする課題】
【０００４】
このような場合には、複数の記憶媒体のどの記憶媒体に画像を記録するのか、どの記憶媒体から画像を再生するのかを、ユーザが指定することができると便利である。
【０００５】
しかしながら、従来の撮像装置においては、画像の記録先となる記憶媒体の設定と画像の読み出し先となる記憶媒体の設定は、別個に設定することができなかった。すなわち、記憶先と読み出し先は、同じ記憶媒体が設定されていた。
【０００６】
このような従来の撮像装置では、例えば画像の再生中にシャッターチャンスが訪れた場合には、ユーザは撮像装置を操作し、記憶先となる記憶媒体を選択し直した上で撮影を行う必要がある。したがって、記憶先の切替え操作が煩雑であった。また、即時性の求められる撮影の場合には、記憶先の切替え操作を行うことなく撮影を行わなければならない。このような場合には、ユーザの希望する記憶媒体に記録できないことがあり、結果として撮影後の画像の整理が煩雑となってしまう。
【課題を解決するための手段】
【０００７】
上記目的を達成するために、本発明は、被写体を撮像し画像を得る撮像手段と、複数の記憶媒体にアクセスするアクセス手段と、前記複数の記憶媒体の情報を表示する表示手段と、前記表示手段に表示された、前記複数の記憶媒体から、画像を記録する記録先となる記憶媒体を選択する第１の選択手段と、前記第１の選択手段とは別に、画像の読み出し先となる記憶媒体を選択する第２の選択手段を備えたことを特徴とする。
【発明の効果】
【０００８】
本発明は、複数の記憶媒体の中から、どの記憶媒体に画像の記録を行うのか、どの記憶媒体から画像を読み出し、再生を行うのかをユーザがそれぞれ独立して選択できるようにした。このことにより、再生・撮影を切替えるたびに、ユーザが煩雑な操作をする必要がなくなる。また、撮影後の画像の整理が行いやすくなる。
【０００９】
さらに、記憶媒体を取り出し可能のスロット等が存在する時は、記憶媒体が存在するスロットのみを記録先・読み出し先として選択可能とした。このことにより、ユーザの誤操作を防ぎ、素早い操作が可能となる。結果的に、シャッターチャンスを逃すことがなくなる。
【００１０】
また、記録・再生のための記憶媒体やフォルダを選択する際に、記録用と再生用を異なる表示部材を使用して選択することで、ユーザは記録用と再生用の記録媒体を、必要な時に、簡単に的確に選択できるようになる。
【発明を実施するための最良の形態】
【００１１】
以下、本発明の実施の形態を図面に基づいて説明する。
【実施例１】
【００１２】
＜全体構成＞
図１は、本発明の第一実施形態に係る画像処理装置の全体構成を示すブロック図である。
【００１３】
同図において、１００は画像処理装置である。１２は撮像素子１４への露光量を制御するためのシャッター、１４は光学像を電気信号に変換する撮像素子である。
【００１４】
レンズ３１０に入射した光線は、一眼レフ方式によって、絞り３１２、レンズマウント３０６，１０６、ミラー１３０、及びシャッター１２を介して導き、光学像として撮像素子１４上に結像する。
【００１５】
１６は、撮像素子１４のアナログ信号出力をディジタル信号に変換するＡ／Ｄ変換器である。１８は撮像素子１４、Ａ／Ｄ変換器１６、及びＤ／Ａ変換器２６にクロック信号や制御信号を供給するタイミング発生回路であり、メモリ制御回路２２及びシステム制御回路５０により制御される。
【００１６】
２０は画像処理回路であり、Ａ／Ｄ変換器１６からのデータ或いはメモリ制御回路２２からのデータに対して所定の画素補間処理や色変換処理を行う。
【００１７】
また、画像処理回路２０においては、必要に応じて、撮像した画像データを用いて所定の演算処理を行い、得られた演算結果に基づいてシステム制御回路５０が露光制御手段４０、及び測距制御手段４２に対して制御を行う。この制御としては、ＴＴＬ（スルー・ザ・レンズ）方式のＡＦ（オートフォーカス）処理、ＡＥ（自動露出）処理、及びＥＦ（フラッシュ調光）処理がある。さらに、画像処理回路２０においては、撮像した画像データを用いて所定の演算処理を行い、得られた演算結果に基づいてＴＴＬ方式のＡＷＢ（オートホワイトバランス）処理も行っている。
【００１８】
なお、本実施形態においては、測距手段４２及び測光手段４６を専用に備える構成としたため、測距手段４２及び測光手段４６を用いてＡＦ（オートフォーカス）処理、ＡＥ（自動露出）処理、及びＥＦ（フラッシュ調光）処理の各処理を行い、上記画像処理回路２０を用いたＡＦ（オートフォーカス）処理、ＡＥ（自動露出）処理、及びＥＦ（フラッシュ調光）処理の各処理を行わない構成としても良い。或いは、測距手段４２及び測光手段４６を用いてＡＦ（オートフォーカス）処理、ＡＥ（自動露出）処理、及びＥＦ（フラッシュ調光）処理の各処理を行い、さらに、上記画像処理回路２０を用いたＡＦ（オートフォーカス）処理、ＡＥ（自動露出）処理、及びＥＦ（フラッシュ調光）処理の各処理を行う構成としても良い。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２０】
Ａ／Ｄ変換器１６のデータが画像処理回路２０及びメモリ制御回路２２を介して、或いはＡ／Ｄ変換器１６のデータが直接メモリ制御回路２２を介して、画像表示メモリ２４或いはメモリ３０に書き込まれる。
【００２１】
２４は画像表示メモリ、２６はＤ／Ａ変換器、２８はＴＦＴ・ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。
【００２２】
また、画像表示部２８は、システム制御回路５０の指示により任意に表示をＯＮ／ＯＦＦすることが可能であり、表示をＯＦＦにした場合には撮像装置１００の電力消費を大幅に低減することができる。画像表示部２８には、操作部７０の操作によって、記録画質モードや、ホワイトバランスモード等のメニューを表示したり、表示している画像の情報を表示したり、記録或いは再生可能な記憶媒体を表示したりする。
【００２３】
３０は撮影した静止画像や動画像を格納するためのメモリであり、所定枚数の静止画像や所定時間の動画像を格納するのに十分な記憶量を備えている。
【００２４】
これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２６】
４０は測光手段４６からの測光情報に基づいて、絞り３１２を制御する絞り制御手段３４０と連携しながら、シャッター１２を制御するシャッター制御手段である。４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することができる。
【００２７】
４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定する。
【００２８】
なお、撮像素子１４によって撮像した画像データを画像処理回路２０によって演算した演算結果に基づき、システム制御回路５０がシャッター制御手段４０、絞り制御手段３４０、及び測距制御手段３４２に対して制御を行う、ビデオＴＴＬ方式を用いて露出制御及びＡＦ（オートフォーカス）制御をすることも可能である。
【００２９】
さらに、測距手段４２による測定結果と、撮像素子１４によって撮像した画像データを画像処理回路２０によって演算した演算結果とを共に用いてＡＦ（オートフォーカス）制御を行っても構わない。
【００３０】
そして、測光手段４６による測定結果と、撮像素子１４によって撮像した画像データを画像処理回路２０によって演算した演算結果とを共に用いて露出制御を行っても構わない。
【００３１】
５０は撮像装置１００全体を制御するシステム制御回路、５２はシステム制御回路５０の動作用の定数や、変数、プログラム等を記憶するシステムメモリである。５４はシステム制御回路５０でのプログラムの実行に応じて、文字、画像等を用いて動作状態やメッセージ等を表示する液晶表示装置等の表示部であり、撮像装置１００の操作部近辺の視認し易い位置に単数或いは複数個所設置され、例えばＬＣＤやＬＥＤ等の組み合わせにより構成されている。
【００３２】
また、表示部５４は、その一部の機能が光学ファインダ１０４内に設置されている。表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、時計用電池残量表示、電池残量表示、エラー表示、複数桁の数字による情報表示、記憶媒体２００及び２１０の着脱状態表示、レンズユニット３００の着脱状態表示、通信Ｉ／Ｆ動作表示、日付・時刻表示、及び外部コンピュータとの接続状態を示す表示等がある。
【００３３】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、及び記憶媒体書き込み動作表示等がある。
【００３４】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記憶媒体書き込み動作表示、マクロ撮影設定通知表示、及び二次電池充電状態表示等がある。
【００３５】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００３６】
６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３７】
ここで、これらの操作手段の具体的な説明を行う。
【００３８】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、及びＥＦ（フラッシュ調光）処理等の動作開始を指示する。
【００３９】
６４はシャッタースイッチＳＷ２で、不図示のシャッターボタンの操作完了でＯＮとなり、撮像素子１２から読み出した信号をＡ／Ｄ変換器１６、及びメモリ制御回路２２を介してメモリ３０に画像データを書き込む露光処理、画像処理回路２０やメモリ制御回路２２での演算を用いた現像処理、並びにメモリ３０から画像データを読み出し、圧縮・伸長回路３２で圧縮を行い、記憶媒体２００或いは２１０に画像データを書き込む記録処理、という一連の処理の動作開始を指示する。
【００４０】
６６は再生スイッチで、撮影モード状態において、撮影した画像をメモリ３０、記憶媒体２００或いは２１０から読み出して画像表示部２８によって表示する再生動作の開始を指示する。
【００４１】
６８は単写／連写スイッチで、シャッタースイッチＳＷ２を押した場合に１駒の撮影を行って待機状態とする単写モードと、シャッタースイッチＳＷ２を押している間は連続して撮影を行い続ける連写モードとを設定するためのスイッチである。
【００４２】
７０は各種ボタンやタッチパネル等からなる操作部で、記録用記憶媒体選択ボタン、記録フォルダ選択ボタン、再生用記憶媒体選択ボタン、再生フォルダ選択ボタン、メニューボタン、セットボタン、メニュー移動＋（プラス）ボタン、メニュー移動−（マイナス）ボタン、再生画像移動＋（プラス）ボタン、再生画像移動−（マイナス）ボタン等を備えている。
【００４３】
さらに、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチを備えている。
【００４４】
そのほかに、再生モードや、マルチ画面再生モード、ＰＣ接続モード等の各機能モードを設定することができる再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することができるＡＦモード設定スイッチ等がある。
【００４５】
また、上記プラスボタン及びマイナスボタンの各機能は、回転ダイアルスイッチを備えることによって、より軽快に数値や機能を選択することが可能となる。
【００４６】
７１は特殊モードスイッチで、例えば、複数の記憶媒体に同じコマ画像を記録するモードをON/OFFするスイッチである。
【００４７】
７２は電源スイッチで、撮像装置１００の電源オンや、電源オフの各モードを切り替え設定することができる。また、撮像装置１００に接続されたレンズユニット３００、外部ストロボ、記憶媒体２００、２１０等の各種付属装置の電源オン、電源オフの設定も合わせて切り替え設定することができる。
【００４８】
８０は電源制御手段で、電池検出回路、ＤＣ−ＤＣコンバータ、及び通電するブロックを切り替えるスイッチ回路等により構成されており、電池の装着の有無や、電池の種類、電池残量の検出を行い、検出結果及びシステム制御回路５０の指示に基づいてＤＣ−ＤＣコンバータを制御し、必要な電圧を必要な期間、記憶媒体を含む各部へ供給する。
【００４９】
８２，８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５０】
９０及び９４はメモリカードやハードディスク等の記憶媒体とのインターフェース、９２及び９６はメモリカードやハードディスク等の記憶媒体と接続を行うコネクタ、９８はコネクタ９２及び或いは９６に記憶媒体２００或いは２１０が装着されているか否かを検知する記憶媒体着脱検知手段である。
【００５１】
なお、本実施形態では、記憶媒体を取り付けるインターフェース及びコネクタを２系統持つものとして説明している。勿論、記憶媒体を取り付けるインターフェース及びコネクタは、複数の系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００５２】
さらに、インターフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００５３】
１０４は光学ファインダであり、レンズ３１０に入射した光線を、一眼レフ方式によって、絞り３１２、レンズマウント３０６，１０６、及びミラー１３０，１３２を介して導き、光学像として結像表示する。これにより、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、及び露出補正表示などが設置されている。
【００５４】
１２０は、レンズマウント１０６内において、撮像装置１００をレンズユニット３００と接続するためのインターフェース、１２２は撮像装置１００をレンズユニット３００と電気的に接続するコネクタ、１２４はレンズマウント１０６及び／或いはコネクタ１２２にレンズユニット３００が装着されているか否かを検知するレンズ着脱検知手段である。
【００５５】
コネクタ１２２は、撮像装置１００とレンズユニット３００との間で制御信号、状態信号、データ信号等を伝え合うと共に、各種電圧の電流を供給する機能も備えている。また、コネクタ１２２は電気通信のみならず、光通信や音声通信等を伝達する構成としても良い。
【００５６】
１３０、１３２はミラーで、レンズ３１０に入射した光線を、一眼レフ方式によって光学ファインダ１０４に導くことができる。なお、ミラー１３２は、クイックリターンミラーの構成としても、ハーフミラーの構成としても、どちらでも構わない。
【００５７】
２００はメモリカードやハードディスク等の記憶媒体である。記憶媒体２００は、半導体メモリや磁気ディスク等から構成される記録部２０２、撮像装置１００とのインターフェース２０４、及び撮像装置１００と接続を行うコネクタ２０６を備えている。
【００５８】
２１０はメモリカードやハードディスク等の記憶媒体である。記憶媒体２１０は、半導体メモリや磁気ディスク等から構成される記録部２１２、撮像装置１００とのインターフェース２１４、及び撮像装置１００と接続を行うコネクタ２１６を備えている。
【００５９】
３００は交換レンズタイプのレンズユニットである。３０６は、レンズユニット３００を撮像装置１００と機械的に結合するレンズマウントである。レンズマウント３０６内には、レンズユニット３００を撮像装置１００と電気的に接続する各種機能が含まれている。
【００６０】
３１０は撮影レンズ、３１２は絞りである。３２０は、レンズマウント３０６内において、レンズユニット３００を撮像装置１００と接続するためのインターフェース、３２２はレンズユニット３００を撮像装置１００と電気的に接続するコネクタである。
【００６１】
コネクタ３２２は、撮像装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００６２】
３４０は測光手段４６からの測光情報に基づいて、シャッター１２を制御するシャッター制御手段４０と連携しながら、絞り３１２を制御する絞り制御手段である。
【００６３】
３４２は撮影レンズ３１０のフォーカシングを制御する測距制御手段、３４４は撮影レンズ３１０のズーミングを制御するズーム制御手段である。
【００６４】
３５０はレンズユニット３００全体を制御するレンズシステム制御回路である。レンズシステム制御回路３５０は、動作用の定数、変数、プログラム等を記憶するメモリと、レンズユニット３００固有の番号等の識別情報、管理情報、開放絞り値や最小絞り値、焦点距離等の機能情報、及び現在や過去の各設定値などを保持する不揮発メモリの機能も備えている。
【００６５】
次に、図２は、本発明の特徴である、記録先となる記憶媒体（以下「記憶用媒体」）と、読み出し先の記憶媒体（以下、「再生用媒体」）をそれぞれ選択するフローチャートである。このフローチャートは、システム制御回路５０が、各部からの入力信号やプログラムに従い、各部を制御することで実現される。この点は、今後のフローチャートにおいても同様である。
【００６６】
システム制御回路５０は、ステップＳ１０１で、操作部７０内に存在する記憶媒体選択ボタンがONかどうか判断する。もし、記憶媒体選択ボタンがONでなければ、ステップＳ１１９で他の操作部材に関する制御を行い、本フローを終了する。
【００６７】
記憶媒体選択ボタンがONならば、システム制御回路５０はステップＳ１０２で、画像表示部２８、或いは表示部５４に、撮像装置１００がアクセス可能な記憶媒体を表示する。この際、記録用媒体選択メニュー３０１と、再生用媒体選択メニュー３０２の２つを表示する（図３(a)）。
【００６８】
ステップＳ１０３で、システム制御回路５０は、操作部７０に含まれる記録用媒体選択ボタンがONかどうかを判断する。もし、記録用媒体選択ボタンがONならば、記録用媒体を選択するためにステップＳ１０４に移行する。この際、図３(a)に示すように、選択されている部分がフォーカスされるよう、「記録用」の部分に色の変更などの強調表示が施される。さらに本実施例では、複数の記憶用媒体のうち、記憶媒体１が最初に選択状態にあるよう設定されており、「記憶媒体１」の部分が強調表示されている。なお、選択状態にある部分が強調表示される処理に関しては、再生用媒体の設定についても同様である。
【００６９】
ステップＳ１０４で、システム制御回路５０は、メニュー移動＋（プラス）ボタンがONかどうか判断する。ONであれば、ステップＳ１０６で画面下方向に記憶用媒体の選択状態を変更する（図３(b)）。すなわち、メニュー移動＋（プラス）ボタンが１回ＯＮされたことが検知されると、「記憶媒体２」が選択状態となり、強調表示される。OFFであれば、処理をステップＳ１０５に進める。
【００７０】
ステップＳ１０５で、システム制御回路５０は、メニュー移動−（マイナス）ボタンがONかどうか判断する。もしONであれば、ステップＳ１０６で画面上方向に記憶先媒体の選択状態を示す表示を変更する。OFFであれば、ステップＳ１０７に移行する。
【００７１】
ステップＳ１０７で、システム制御回路５０はセットボタンがONかどうか判断する。セットボタンがOFFであれば処理をステップＳ１０４に戻す。ステップＳ１０７でONならば、処理をステップＳ１０８に進める。
【００７２】
ステップＳ１０８で、システム制御回路５０は、現時点で選択状態にある記憶媒体を記録用媒体として設定し、この設定をシステムメモリ５２上に保持する。
【００７３】
この設定により、撮影画像の記憶先が決定される。例えば、設定された記憶媒体が、図１の記録媒体２００である場合を考える。ユーザ操作によりシャッターボタンが操作されると、撮影画像は一旦メモリ３０に記憶される。システム制御回路５０はシステムメモリ５２にアクセスし、記録用媒体の設定を読み出す。そして読み出した設定に基づき、インターフェース９０を介し、メモリ３０上の撮影画像を記憶媒体２００に書き込む。
【００７４】
次に、再生用媒体の設定について、引き続き図２のフローにしたがい説明する。
【００７５】
システム制御回路５０は、ステップＳ１０３で記録用の記憶媒体選択ボタンがONでなかったら、ステップＳ１０９に処理を進め、再生用の記憶媒体選択ボタンがONかどうかを判断する。再生用の記憶媒体選択ボタンがONならば、再生用媒体を選択するためにステップＳ１１０に移行し、メニュー中、「再生用」の部分が強調表示される（図４(a)）。
【００７６】
ステップＳ１１０でメニュー移動＋（プラス）ボタンがONかどうか判断する。もしONだったら、ステップＳ１１２で画面下方向に再生用媒体の選択状態を変更する。（図４(b)）
ステップＳ１１０でOFFと判断した場合、システム制御回路５０は、ステップＳ１１１でメニュー移動−（マイナス）ボタンがONかどうか判断する。ONであれば、ステップＳ１１２で画面上方向に選択記憶媒体の選択状態を変更する。OFFであれば、処理をステップＳ１１３に進める。
【００７７】
ステップＳ１１３で、システム制御回路５０は、セットボタンがONかどうか判断する。セットボタンがOFFであれば処理をステップＳ１１０に戻し、メニュー移動ボタンとセットボタンの判断を繰り返す。ONであれば、処理をステップＳ１１４に進める。
【００７８】
ステップＳ１１４で、システム制御回路５０は、現時点で選択状態にある記憶媒体を、再生用媒体として設定し、システムメモリ５２上に保持する。設定された記憶用媒体が、図１の２０２に示す記憶部である場合再生時には、インターフェース９０を介して記憶媒体２００内の情報を読み込み、画像データ等を、画像表示２８に表示する。
【００７９】
この設定により、再生時の画像の読み出し先が決定される。例えば、設定された記憶媒体が、図１の記録媒体２１０である場合を考える。ユーザ操作により画像の再生指示がなされると、システム制御回路５０はシステムメモリ５２にアクセスし、再生用媒体の設定を読み出す。そして読み出した設定に基づき、インターフェース９０を介し記憶媒体２１０にアクセスし、記憶されている画像を読み出す。そして読み出した画像を表示部２８に表示する。
【００８０】
なお、記憶媒体２００及び２１０は、ＰＣＭＣＩＡカードやコンパクトフラッシュ（登録商標）等のメモリカード、ハードディスク等だけでなく、光磁気ディスク、ＣＤ−ＲやＣＤ−ＷＲ等の光ディスク、ＤＶＤ等の相変化型光ディスク等でもよい。
【００８１】
また、記憶媒体２００及び２１０がメモリカードとハードディスク等が一体となった複合媒体であっても勿論問題無い。さらに、その複合媒体から一部が着脱可能な構成としても勿論問題無い。
【００８２】
そして、実施形態の説明に於いては、記憶媒体２００及び２１０は撮像装置１００と分離していて任意に接続可能なものとして説明したが、何れか或いは全ての記憶媒体が撮像装置１００に固定したままとなっていても勿論問題無い。
【００８３】
また、撮像装置１００に記憶媒体２００或いは２１０が、複数の任意の個数接続可能な構成であっても構わない。
【００８４】
そして、撮像装置１００に記憶媒体２００及び２１０が装着する構成として説明したが、記憶媒体の組み合わせは、これ以外の構成であっても勿論問題無い。
【００８５】
以上述べたように、本実施例では、ユーザが記憶用媒体と再生用媒体、それぞれ独立して任意に選択できるようにした。このことにより、撮影時、再生時にはそれぞれ適切な記憶媒体が自動的に選択されることとなり、ユーザが煩雑な操作を行うことなく、記憶先の切替えを行うことが可能となる。
【実施例２】
【００８６】
実施例１では、複数の記憶媒体から、記録用媒体・再生用媒体をそれぞれ任意に選択する方法を説明した。しかしながら、記憶媒体のみならず、記憶媒体内にあるフォルダまで記憶先、読み出し先として指定することができれば、ユーザにとって便利である。そこで本実施例では、記録用・再生用憶媒体及びフォルダ（以下、「記録用フォルダ」、「再生用フォルダ」）をそれぞれ任意に選択する場合について説明する。
【００８７】
なお、本実施例では、実施例と共通する部分については説明を省略し、実施例２に特有の部分について詳細に説明する。
【００８８】
図５は、実施例２の処理を示すフローチャートである。
まず、ステップＳ２０１からステップＳ２０８までの処理については実施例１とステップＳ１０１からステップＳ１０８と同様であるから、説明を省略する。  ただし、本実施例では表示されるメニューが実施例１と異なる。以下、この点について説明する。図６に本実施例で表示されるメニューを示す。６０１は記憶用媒体の設定を行う（図６）のか、再生用媒体の設定を行う（図７）のかを示す部分である。６０２は、どの記憶媒体を記憶先または読み出し先とするかを設定する部分である。そして６０３は６０２において選択状態にある記憶媒体に格納されているフォルダが一覧表示されている。また、各フォルダに格納されているファイル数も表示されている。従って、６０２の選択状態を変更すると、６０３に表示されるフォルダは変更される（図８）。この６０３の選択状態を変更することにより、記録用・再生用フォルダの設定が可能となる。
【００８９】
以下、図２のステップＳ２０９からの処理について説明する。
【００９０】
ステップＳ２０９で、システム制御回路５０は、フォルダ選択ボタンがONか否かを判断する。ＯＮであれば、ステップＳ２１０において図６に示す画面を表示する。
【００９１】
ステップＳ２１１で、システム制御回路５０は、メニュー移動＋（プラス）ボタンがONかどうか判断する。ONであれば、ステップＳ２１３で画面下方向のフォルダを選択状態とする（図９）。OFFであれば、処理をステップＳ２１２に進める。
【００９２】
ステップＳ２１２で、システム制御回路５０は、メニュー移動−（マイナス）ボタンがONかどうか判断する。ONであれば、ステップＳ２１３で画面上方向のフォルダを選択状態にする。OFFであれば、ステップＳ２１４に移行する。
【００９３】
ステップＳ２１４で、システム制御回路５０は、セットボタンがONかどうか判断する。セットボタンがOFFであれば処理をステップＳ２１１に戻し、メニュー移動ボタンとセットボタンの判断を繰り返す。ONであれば、その時点で選択されているフォルダを記録用フォルダとして設定し、システムメモリ５２上に保持する。
【００９４】
記録用フォルダ設定後の取り扱いは実施例１と同様である。システム制御回路５０は撮影時にシステムメモリ５２にアクセスし、設定を読み出すことで差杖画像の記憶先を制御する。
【００９５】
次に、ステップＳ２２２からステップＳ２２８の処理であるが、この処理は、ステップＳ２１６からステップＳ２２１の処理を再生用フォルダの設定に適用したものである。したがって、ここでは説明は省略する。
【００９６】
再生用フォルダ設定後の取り扱いは実施例１と同様である。システム制御回路５０は再生時にシステムメモリ５２にアクセスし、設定を読み出すことで再生画像の読み出し先を制御する。
【００９７】
本実施例では、ユーザ操作により記録用のフォルダ、再生用のフォルダをそれぞれ任意に設定できるようにした。このことにより、撮影画像をフォルダで分類することが可能であるため、ユーザはさらに画像の整理が行いやすくなる。
【実施例３】
【００９８】
実施例１では、複数の記憶媒体の中から記録用・再生用媒体を設定することが可能であった。実施例１では、さらに記録用・再生用フォルダを設定することが可能であった。しかし、図1の記憶媒体２００や２１０に記憶媒体が着脱可能な記憶媒体である場合には、撮像装置１００に記憶媒体が装着されていない場合がある。この場合には、装着されていない記憶媒体をユーザが選択しないようにするのが望ましい。そこで本実施例では、接続状態にない記憶媒体は選択できないことを、ユーザに報知することが出来る構成とした。
【００９９】
以下、具体的な処理について説明する。記憶媒体選択ボタンをONされたと判断すると、システム制御回路５０は記憶媒体着脱検知９８の状態を調べ、記憶媒体２００や２１０が装着されているかどうかを検知する。装着されていなければ、装着されていない記憶媒体の選択肢をメニュー画面に表示しないよう制御する。図１１に一例を示す。図１１では記憶媒体２のインタフェースに記憶媒体が装着されていない場合の画面である。もちろん、図１０に示すように、装着されていない記憶媒体はグレーアウト等で表示は行うことも可能である。さらに、表示は行うものの、ユーザ操作によって選択ができないように制御することも可能である。
【０１００】
このように、装着されている記憶媒体に関してだけ、情報を表示したり、選択できるようにすることで、装着されていない記憶媒体が記憶先、読み出し先として設定されることを防ぐことができる。
【実施例４】
【０１０１】
実施例１乃至３では、記録用媒体を選択するメニューと、再生用媒体を選択するメニューを、画像表示部２８または表示部５４に一緒に表示するようにした。しかしながら、画像表示部２８は主にユーザが再生された画像を閲覧する際に使用される。また、表示部５４は主に、シャッタースピード、絞り値、露出補正など、撮影に関する情報を表示するために使用される。
【０１０２】
このことから、図１２のように、再生用媒体を選択するメニュー表示は画像表示部２８に行い、記録用媒体を選択するメニュー表示は表示部５４に行うことも可能である。それぞれ異なる表示部材を使用して、記録用と再生用の記憶媒体をそれぞれ選択することが出来る。
【０１０３】
このように本実施例では、記録・再生用媒体やフォルダを選択するメニューを異なる表示部に表示する構成とした。この際、再生の際に用いられる表示部には再生用媒体のメニューを、撮影の際に用いられる表示部には撮影用媒体のメニューを表示するようにした。このことにより、ユーザは記録用・再生用媒体がどのような設定がどこに表示されているか探すことなく簡単に把握できるようになる。
【０１０４】
＜他の実施形態＞
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステム或いは装置に供給し、そのシステム或いは装置のコンピュータ（またはＣＰＵやＭＰＵ）が記憶媒体に格納されたプログラムコードを読み出し実行することによっても、完成されることは言うまでもない。
【０１０５】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【０１０６】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【図面の簡単な説明】
【０１０７】
【図１】本発明の実施例１の構成ブロック図である。
【図２】実施例１の主ルーチンのフローチャートである。
【図３】実施例１の表示部の表示内容を示す図である。
【図４】実施例１の表示部の表示内容を示す図である。
【図５】実施例２の主ルーチンのフローチャートである。
【図６】実施例２の表示部の表示内容を示す図である。
【図７】実施例２の表示部の表示内容を示す図である。
【図８】実施例２の表示部の表示内容を示す図である。
【図９】実施例２の表示部の表示内容を示す図である。
【図１０】実施例３の表示部の表示内容を示す図である。
【図１１】実施例３の表示部の表示内容を示す図である。
【図１２】実施例４の表示部の表示内容を示す図である。
【符号の説明】
【０１０８】
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  シャッター制御手段
４２  測距手段
４６  測光手段
５０  システム制御回路
５２  メモリ
５４  表示部
６２  シャッタースイッチＳＷ１
６４  シャッタースイッチＳＷ２
６６  再生スイッチ
６８  単写／連写スイッチ
７０  操作部記憶媒体選択
７１  特殊モード選択
７２  電源スイッチ
８０  電源制御手段
８２  コネクタ
８４  コネクタ
８６  電源手段
９０  インターフェース
９２  コネクタ
９４  インターフェース
９６  コネクタ
９８  記憶媒体着脱検知手段
１０４  光学ファインダ
１０６  レンズマウント
１２０  インターフェース
１２２  コネクタ
１３０  ミラー
１３２  ミラー
２００  記憶媒体
２０２  記録部
２０４  インターフェース
２０６  コネクタ
２１０  記憶媒体
２１２  記録部
２１４  インターフェース
２１６  コネクタ
３００  レンズユニット
３０６  レンズマウント
３１０  撮影レンズ
３１２  絞り
３２０  インターフェース
３２２  コネクタ
３４０  露光制御手段
３４２  測距制御手段
３４４  ズーム制御手段
３５０  レンズシステム制御回路
【図１】
2008113167.tif 000003
【図２】
2008113167.tif 000004
【図３】
2008113167.tif 000005
【図４】
2008113167.tif 000006
【図５】
2008113167.tif 000007
【図６】
2008113167.tif 000008
【図７】
2008113167.tif 000009
【図８】
2008113167.tif 000010
【図９】
2008113167.tif 000011
【図１０】
2008113167.tif 000012
【図１１】
2008113167.tif 000013
【図１２】
2008113167.tif 000014